【手続補正書】
【提出日】平成26年4月25日(2014.4.25)
【手続補正１】
【補正対象書類名】特許請求の範囲
【補正対象項目名】全文
【補正方法】変更
【補正の内容】
【特許請求の範囲】
【請求項１】
現在地検出機能を備えた携帯端末であって、
用件について、日時情報、場所情報、および相手端末のアドレス情報を含むスケジュールに係る用件データを記憶するスケジュール記憶手段と、
前記スケジュール記憶手段に記憶されているいずれかの用件データを監視対象の用件データに設定する監視対象用件設定手段と、
所定のサーバから、あるいは自携帯端末が備える地図データベースを用いて、前記現在位置検出機能により検出された自携帯端末の現在地の地点情報を取得する地点情報取得手段と、
所定のサーバから、あるいは前記地図データベースを用いて、前記監視対象の用件データに含まれている前記場所情報が示す地点への予想到着時刻を取得する予想到着時刻取得手段と、
前記地点情報取得手段により取得された前記現在地の地点情報と、前記予想到着時刻取得手段により取得された前記場所情報が示す地点への予想到着時刻と、を含むメッセージを生成するメッセージ生成手段と、
前記メッセージ生成手段により生成された前記メッセージを、前記監視対象の用件データに含まれている前記アドレス情報により特定される相手端末に送信するメッセージ送信手段と、を有する
ことを特徴とする携帯端末。
【請求項２】
請求項１に記載の携帯端末であって、
前記用件データは、前記場所情報への移動手段情報を含んでおり、
前記予想到着時刻取得手段は、
前記監視対象の用件データに含まれている前記移動手段情報が示す移動手段を用いて前記現在地から前記場所情報が示す地点へ移動したときの前記場所情報が示す地点への予想到着時刻を取得し、
前記メッセージ生成手段は、
前記現在地の地点情報および前記場所情報が示す地点への予想到着時刻に加え、前記監視対象の用件データに含まれている前記移動手段情報を含む前記メッセージを生成する
ことを特徴とする携帯端末。
【請求項３】
請求項２に記載の携帯端末であって、
所定のサーバから、自携帯端末のユーザのプレゼンス情報を取得するプレゼンス情報取得手段と、
所定のサーバから、前記現在地から前記場所情報が示す地点までの移動経路の交通情報を取得する交通情報取得手段と、
前記予想到着時刻取得手段により取得された前記場所情報が示す地点への予想到着時刻が、前記監視対象の用件データに含まれている前記日時情報が示す時刻以降である場合に、前記監視対象の一つ前に計画されている直前用件の用件データを前記スケジュール記憶手段から読み出して、前記監視対象の遅延原因を推定する遅延原因推定手段と、をさらに有し、
前記予想到着時刻取得手段は、
前記場所情報が示す地点への予想到着時刻を、前記移動経路の交通情報とともに取得し、
前記メッセージ生成手段は、
前記予想到着時刻取得手段により取得された前記場所情報が示す地点への予想到着時刻が、前記監視対象の用件データに含まれている前記日時情報が示す時刻以降である場合において、前記遅延原因推定手段により前記監視対象の遅延原因が推定されているならば、当該遅延原因をさらに含む前記メッセージを生成し、
前記用件データは、前記用件の用件種別情報を含んでおり、
前記遅延原因推定手段は、
前記直前用件の用件データに含まれている前記場所情報および前記用件種別情報と、前記地点情報取得手段により取得された前記現在地の地点情報と、前記プレゼンス情報取得手段により取得された自携帯端末のユーザのプレゼンス情報と、前記交通情報取得手段により取得された前記移動経路の交通情報とが、所定の条件に合致するか否かを判断することにより、前記監視対象の遅延原因を推定する
ことを特徴する携帯端末。
【請求項４】
請求項３に記載の携帯端末であって、
前記遅延原因推定手段は、
前記直前用件の用件データに含まれている前記場所情報と、前記現在地の地点情報とが一致し、かつ前記直前用件の用件データに含まれている前記用件種別情報と自携帯端末のユーザのプレゼンス情報とが一致している場合に、前記監視対象の遅延原因を前記直前用件の押し詰まりと推定し、
前記直前用件の用件データに含まれている前記場所情報と前記現在地の地点情報とが不一致、あるいは前記直前用件の用件データに含まれている前記用件種別情報と自携帯端末のユーザのプレゼンス情報とが不一致であり、かつ前記移動経路の交通情報に障害情報が含まれている場合に、前記監視対象の遅延原因を前記移動経路上の交通障害と推定する
ことを特徴とする携帯端末。
【請求項５】
請求項３又は４に記載の携帯端末であって、
前記遅延原因推定手段は、
前記遅延原因を推定した前記監視対象について、前記地点情報取得手段により取得された前記現在地の地点情報と、前記プレゼンス情報取得手段により取得された自携帯端末のユーザのプレゼンス情報と、前記交通情報取得手段により取得された前記移動経路の交通情報とを用いて、当該遅延原因の解消を判断し、
前記メール生成手段は、
前記遅延原因推定手段により前記遅延が解消したものと判断された場合に、当該遅延原因が解消した旨のメッセージを生成する
ことを特徴する携帯端末。
【請求項６】
請求項５に記載の携帯端末であって、
前記遅延原因推定手段は、
前記遅延原因を前記直前用件の押し詰まりと推定した前記監視対象について、前記直前用件の用件データに含まれている前記場所情報と前記現在地の地点情報とが不一致となり、かつ前記直前用件の用件データに含まれている前記用件種別情報と自携帯端末のユーザのプレゼンス情報とが不一致となった場合に、前記直前用件の押し詰まりが解消したものと判断し、
前記遅延原因を前記移動経路上の交通障害と推定した前記監視対象について、前記移動経路の交通情報に障害情報が含まれなくなった場合に、前記移動経路上の交通障害が解消したものと判断する
ことを特徴とする携帯端末。
【請求項７】
請求項１乃至６のいずれか一項に記載の携帯端末であって、
前記メッセージ送信手段は、
前記メッセージ生成手段により生成された前記メッセージを表示して、自携帯端末のユーザに当該メッセージの送信可否を確認し、当該ユーザから送信許可の指示を受け付けた場合にのみ、当該メッセージを送信する
ことを特徴とする携帯端末。
【請求項８】
現在地検出機能を備えた携帯端末を用いたメッセージの生成方法であって、
前記携帯端末は、
予め記憶された日時情報、場所情報、および相手端末のアドレス情報を含むスケジュールに係る用件データの中から、前記日時情報が現在に最も近い用件の用件データを検索し、
外部サーバから、あるいは自携帯端末が備える地図データベースを用いて、前記現在地検出機能により検出された自携帯端末の現在地の地点情報および前記検索した用件データに含まれている前記場所情報が示す地点への予想到着時刻を取得し、
前記現在地の地点情報および前記場所情報が示す地点への予想到着時刻を含むメッセージを生成し、前記検索した用件データに含まれている前記アドレス情報により特定される相手端末に送信する
ことを特徴とするメッセージの送信方法。
【手続補正２】
【補正対象書類名】明細書
【補正対象項目名】０００８
【補正方法】変更
【補正の内容】
【０００８】
上記課題を解決するために、本発明において、携帯端末は、任意の用件データについて、外部サーバから、あるいは自携帯端末が備える地図データベースを用いて、自携帯端末の現在地検出機能により検出された現在地の地点情報およびこの用件データに含まれている場所情報が示す地点への予想到着時刻を取得する。そして、現在地の地点情報およびこの用件データに含まれている場所情報が示す地点への予想到着時刻を含むメッセージを生成し、このメッセージを用件のある相手端末に送信する。
【手続補正３】
【補正対象書類名】明細書
【補正対象項目名】０００９
【補正方法】変更
【補正の内容】
【０００９】
例えば、本発明は、現在地検出機能を備えた携帯端末であって、
用件について、日時情報、場所情報、および相手端末のアドレス情報を含むスケジュールに係る用件データを記憶するスケジュール記憶手段と、
前記スケジュール記憶手段に記憶されているいずれかの用件データを監視対象の用件データに設定する監視対象用件設定手段と、
所定のサーバから、あるいは自携帯端末が備える地図データベースを用いて、前記現在位置検出機能により検出された自携帯端末の現在地の地点情報を取得する地点情報取得手段と、
所定のサーバから、あるいは前記地図データベースを用いて、前記監視対象の用件データに含まれている前記場所情報が示す地点への予想到着時刻を取得する予想到着時刻取得手段と、
前記地点情報取得手段により取得された前記現在地の地点情報と、前記予想到着時刻取得手段により取得された前記場所情報が示す地点への予想到着時刻と、を含むメッセージを生成するメッセージ生成手段と、
前記メッセージ生成手段により生成された前記メッセージを、前記監視対象の用件データに含まれている前記アドレス情報により特定される相手端末に送信するメッセージ送信手段と、を有する。
【手続補正４】
【補正対象書類名】明細書
【補正対象項目名】００１０
【補正方法】変更
【補正の内容】
【００１０】
本発明によれば、現在地の地点情報、および用件データに含まれている場所情報が示す地点への予想到着時刻を含むメッセージを自動生成し、用件のある相手端末に送信するので、ユーザに煩雑な作業を強いることなく、用件のある相手にユーザの現況を知らせることが可能となる。